(57)【特許請求の範囲】
【請求項１】
テレビ電話機能を備え、同時に２回線の呼を張ることが可能な第１及び第２の携帯電話機と、前記携帯電話機のいずれかと通信網を介して接続する音楽配信システムとを備えた携帯電話システムであって、
前記音楽配信システムが、前記通信網を介して接続された携帯電話機からの配信要求に従って、前記要求元の携帯電話機にカラオケデータを配信し、当該配信完了で課金を行う音楽配信システムであり、
前記第１の携帯電話機が、第１の回線を用いて前記第２の携帯電話機とテレビ電話通話を行っている場合に、第２の回線を用いて前記音楽配信システムに接続してカラオケデータの配信要求を送信し、前記カラオケデータが配信されると、第１の携帯電話機内部に記憶して前記第２の回線を切断し、前記第２の携帯電話機に対して、前記第２の回線を用いて前記カラオケデータを送信すると共に自らも前記カラオケデータを再生する第１の携帯電話機であり、
前記第２の携帯電話機が、前記第１の回線を用いて前記第１の携帯電話機とテレビ電話通話を行っている場合に、前記第２の回線を用いて前記第１の携帯電話機から送信された前記カラオケデータを受信すると、前記カラオケデータをストリーム再生する第２の携帯電話機であることを特徴とする携帯電話システム。
【請求項２】
テレビ電話機能を備え、同時に２回線の呼を張ることが可能な第１及び第２の携帯電話機と、前記携帯電話機のいずれか一方と通信網を介して接続する音楽配信システムとを備えた携帯電話システムであって、
前記音楽配信システムが、前記通信網を介して接続された携帯電話機からの配信要求に従って、前記要求元の携帯電話機にカラオケデータを配信し、当該配信完了で課金を行う音楽配信システムであり、
前記第１の携帯電話機が、第１の回線を用いて前記第２の携帯電話機とテレビ電話通話を行っている場合に、第２の回線を用いて前記音楽配信システムに接続してカラオケデータの配信要求を送信し、前記カラオケデータが配信されると、当該第１の携帯電話機内部に記憶して前記第２の回線を切断し、前記第２の携帯電話機に対して前記第２の回線を用いて前記カラオケデータを送信し、
前記第２の携帯電話機で前記カラオケデータの受信が完了した後に、特定の再生指示信号を送信した場合には、前記第２の回線を切断し、若しくは、前記特定の再生指示信号を送信せずに前記第２の回線を切断した場合には、通話中の前記第１の回線で前記特定の再生指示信号を送信するか、又は前記第２の回線を改めて接続して前記特定の再生指示信号を送信して前記第２の回線を切断し、
前記特定の再生指示信号により前記カラオケデータの再生を開始する第１の携帯電話機であり、
前記第２の携帯電話機が、前記第１の回線を用いて前記第１の携帯電話機とテレビ電話通話を行っている場合に、前記第２の回線を用いて受信したカラオケデータを記憶し、前記第１の携帯電話機から送信された前記再生指示信号により、前記記憶されたカラオケデータを再生する第２の携帯電話機であることを特徴とする携帯電話システム。
【請求項３】
テレビ電話機能を備え、同時に２回線の呼を張ることが可能で、通信網を介して音楽配信システムと接続可能な携帯電話機であって、
第１の回線を用いて別の携帯電話機とテレビ電話通話を行っている場合に、第２の回線を用いて前記音楽配信システムに接続してカラオケデータの配信要求を送信し、前記カラオケデータが配信されると、内部に記憶して前記第２の回線を切断し、前記別の携帯電話機に対して第２の回線を用いて前記カラオケデータを送信すると共に自らも前記カラオケデータの再生を開始するか、又は前記別の携帯電話機に対して第２の回線を用いて前記カラオケデータを送信して特定の再生指示信号を送信した後に前記第２の回線を切断し、前記特定の再生指示信号により前記カラオケデータの再生を開始することを特徴とする携帯電話機。
【発明の詳細な説明】
【０００１】
【発明の属する技術分野】
本発明は、携帯電話システムに係り、特に離れたところにいる通話相手と共に気軽にカラオケを楽しむことができる携帯電話システムに関する。
【０００２】
【従来の技術】
従来、カラオケを行う場合には、曲を再生する装置を所有するか、再生装置を設置してあるカラオケボックス等の場所にて行うのが一般的である。
また、従来の携帯電話システムには、端末からの要求によって音楽データを配信し、端末にて記憶・再生できるサービスがあった。
また、近年、画像と音声とを同時に送受信するテレビ電話が開発されている。
【０００３】
このような従来の携帯端末を用いて音楽配信サービスを行うものとしては、平成１１年６月１８日公開の特開平１１−１６４０５８号「携帯型音楽選曲視聴システム」（出願人：日立電子サービス株式会社、発明者：佐藤登他）がある。
この従来技術は、配信センターに対して公衆回線網を介して接続される携帯用音楽選曲視聴器が、ユーザが選曲した音楽ソフトを配信センターに要求し、受信した音楽ソフトの音声をレシーバに出力すると共に、歌詞等をディスプレイに出力する携帯型音楽選曲視聴システムであり、携帯電話機を利用してユーザが選曲する音楽のソフトを提供できるものである。
【０００４】
【発明が解決しようとする課題】
しかしながら、上記従来のカラオケのやり方では、いつでもどこでもすぐに気軽にカラオケを行うことはできず、また、従来の携帯電話システムでは、通話している相手と一緒にカラオケを楽しむことはできないという問題点があった。
【０００５】
本発明は上記実情に鑑みて為されたもので、携帯電話機を用いて通話中の相手と共に気軽にカラオケを楽しむことができる携帯電話システムを提供することを目的とする。
【０００６】
【課題を解決するための手段】
上記従来例の問題点を解決するための本発明は、テレビ電話機能を備え、同時に２回線の呼を張ることが可能な第１及び第２の携帯電話機と、当該携帯電話機のいずれかと通信網を介して接続する音楽配信システムとを備えた携帯電話システムであって、音楽配信システムが、接続された携帯電話機からの配信要求に従って、要求元の携帯電話機にカラオケデータを配信し、当該配信完了で課金を行い、第１の携帯電話機が、第１の回線を用いて第２の携帯電話機とテレビ電話通話を行っている場合に、第２の回線を用いて音楽配信システムに接続してカラオケデータの配信要求を送信し、カラオケデータが配信されると、第１の携帯電話機内部に記憶して第２の回線を切断し、第２の携帯電話機に対して、第２の回線を用いてカラオケデータを送信すると共に自らもカラオケデータを再生し、前記第２の携帯電話機が、第１の回線を用いて第１の携帯電話機とテレビ電話通話を行っている場合に、前記第２の回線を用いて前記第１の携帯電話機から送信された前記カラオケデータを受信すると、前記カラオケデータをストリーム再生することを特徴としており、テレビ電話機能を備えた第１の回線にてお互いに歌っている映像と音声とを送受信すれば、離れた場所にいる通話相手と一緒に気軽にカラオケを楽しむことができる。
【０００７】
また、本発明は、第１の携帯電話機が、第１の回線を用いて第２の携帯電話機とテレビ電話通話を行っている場合に、第２の回線を用いて音楽配信システムに接続してカラオケデータの配信要求を送信し、カラオケデータが配信されると、当該第１の携帯電話機内部に記憶して第２の回線を切断し、第２の携帯電話機に対して第２の回線を用いてカラオケデータを送信し、第２の携帯電話機でカラオケデータの受信が完了した後に、特定の再生指示信号を送信した場合には、第２の回線を切断し、若しくは、特定の再生指示信号を送信せずに第２の回線を切断した場合には、通話中の前記第１の回線で特定の再生指示信号を送信するか、又は第２の回線を改めて接続して特定の再生指示信号を送信して第２の回線を切断し、特定の再生指示信号によりカラオケデータの再生を開始し、第２の携帯電話機が、第１の回線を用いて第１の携帯電話機とテレビ電話通話を行っている場合に、第２の回線を用いて受信したカラオケデータを記憶し、第１の携帯電話機から送信された再生指示信号により、記憶されたカラオケデータを再生する携帯電話システムとしており、テレビ電話機能を備えた第１の回線を用いてお互いに歌っている映像と音声とを送受信すれば、離れた場所にいる通話相手と一緒に気軽にカラオケを楽しむことができ、また、カラオケを行っている最中には第１の回線のみが接続されているので、通信コストを低減できる。
【０００８】
また、本発明は、テレビ電話機能を備え、同時に２回線の呼を張ることが可能で、通信網を介して音楽配信システムと接続可能な携帯電話機であって、第１の回線を用いて別の携帯電話機とテレビ電話通話を行っている場合に、第２の回線を用いて音楽配信システムに接続してカラオケデータの配信要求を送信し、カラオケデータが配信されると、内部に記憶して第２の回線を切断し、別の携帯電話機に対して第２の回線を用いてカラオケデータを送信すると共に自らもカラオケデータの再生を開始するか、又は別の携帯電話機に対して第２の回線を用いてカラオケデータを送信して特定の再生指示信号を送信した後に第２の回線を切断し、特定の再生指示信号によりカラオケデータの再生を開始する携帯電話機としており、テレビ電話機能を備えた第１の回線を用いて別の携帯電話機と歌っている映像と音声とを送受信すれば、離れた場所にいる通話相手と一緒に気軽にカラオケを楽しむことができる。
【０００９】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１０】
本発明に係る携帯電話システムは、テレビ電話機能を備え、更に同時に２つの呼を張ることができる携帯端末と、携帯電話網と、音楽配信システムとから構成され、一方の携帯端末が、第１の回線にてテレビ電話で通話中に、第２の回線にて音楽配信システムに対してカラオケデータの配信を要求して受信、記憶して第２の回線を切断し、次に第２の回線にて相手の携帯端末に対してカラオケデータを送信すると共に、自己のスピーカからもカラオケを再生し、受信側の端末では受信したカラオケデータを再生し、同時にテレビ電話でお互いの歌声や映像を送受信するようにしており、離れた場所にいる通話相手と一緒に、気軽にカラオケを楽しむことができるものである。
【００１１】
次に、本発明の第１の実施の形態に係る携帯電話システム（第１のシステム）について具体的に説明する。
まず、第１のシステムの全体構成について図１を用いて説明する。図１は、本発明の第１の実施の形態に係る携帯電話システム（第１のシステム）の概略システム構成図である。
図１に示すように、第１のシステムは、ユーザが携帯する携帯電話機１ａ及び１ｂと、携帯電話機１ａの通信を制御する携帯電話網システム３ａと、携帯電話機１ｂの通信を制御する携帯電話網システム３ｂと、公衆通信網２と、音楽配信システム４とから構成されている。
【００１２】
ここでは、携帯電話機１ａと携帯電話機１ｂとが通話状態においてカラオケを楽しもうとする場合について説明する。
【００１３】
音楽配信システム４は、公衆通信網２に接続され、音楽データと画像データとで構成されるカラオケデータを記憶しており、カラオケ装置や一般電話や携帯電話機等からの要求に基づいて指定されたカラオケデータを要求元に配信するものである。
【００１４】
携帯電話機１ａ，１ｂは、テレビ電話機能を備え、同時に２つの呼を張ることが可能な携帯電話機であり、携帯電話網システム３ａ，３ｂは、１つの端末について同一呼（回線）で画像と音声の両方を同時に送受信することを可能とし、更に同時に２つの呼を張ることを可能とするシステムである。
【００１５】
ここで、携帯電話機１の外観について図２を用いて説明する。図２は、携帯電話機１の外観図である。
図２に示すように、第１のシステムの携帯電話機１は、画像を入力するカメラ装置７と、画像を表示する表示装置６と、音声及びカラオケの音楽を出力するスピーカ８と、外付けのカメラを接続する外部端子１０とを備えている。
【００１６】
つまり、携帯電話機１ａは、カメラ装置７にて入力した画像とマイク９から入力した音声とを同一回線にて同時に送信し、それと共に当該回線にて通話相手である携帯電話機１ｂからの画像と音声を受信して、表示装置６とスピーカ８に再生出力するようになっている。携帯電話機１ｂも同様の動作を行ってテレビ電話を実現するものである。
【００１７】
第１のシステムでは、テレビ電話回線に加えてもう１回線呼を張ることが可能となっており、具体的には、テレビ電話で通話しながらもう一方の回線にてデータ通信を行うことが可能となるものである。
【００１８】
つまり、第１のシステムでは、テレビ電話回線にてお互いが歌っている姿や歌声を送受信し、別回線にてカラオケの音楽や歌詞データ等のカラオケデータを送受信することにより、カラオケデータを共有して一緒にカラオケを行うようにしている。
【００１９】
次に、携帯電話機１の構成について図３を用いて具体的に説明する。図３は、携帯電話機１の構成ブロック図である。
図３に示すように、携帯電話機１は、画像を入力するカメラ装置７と、配信されたカラオケデータを記憶するメモリ５と、画像を表示する表示装置６と、音声及びカラオケの音楽を出力するスピーカ８と、外付けのカメラを接続する外部端子１０と、ユーザが操作を行う入力部１１と、装置全体の制御を行う制御手段１２と、無線通信を行う通信手段１３とを備えている。
【００２０】
カメラ装置７は、画像を取り込むものであり、第１のシステムでカラオケを行う場合には、携帯電話機１を携帯するユーザの様子を撮影して画像を取り込むものである。カメラ装置７は携帯電話機１に内蔵されているものであっても、外部端子１０を介して外付けされているものであっても構わない。
【００２１】
また、メモリ５は、音楽配信システム４からダウンロードしたカラオケデータを一時記憶するものである。
【００２２】
マイク９は、送信音声を入力するものであり、カラオケ時には歌声を入力する。
スピーカ８は、受話音声とカラオケの音楽を出力するものである。つまり、カラオケを行っている際には、スピーカ８からはカラオケの音楽と、通話相手の歌声とが出力されるものである。
【００２３】
尚、マイク９及びスピーカ８は、ユーザが携帯電話機１を頭に近づけなくても対話可能な性能及び構成となっている。又は、マイクと一体になったイヤホンやヘッドセット等を外部端子１０に接続して用いることも可能である。
【００２４】
通信手段１３は、通話に伴う送受信や信号処理を行うものであり、第１のシステムの特徴として、同時に２つの呼を張る（２回線の通話が可能）ことが可能なものである。
具体的には、通信手段１３は、２組の送受信チャネルを扱うことが可能であり、それぞれ異なる相手先との通信に用いてもよいし、同一の相手先との通信に用いてもよい。上述したように、第１のシステムにおいて、通話相手と一緒にカラオケを行う場合には、同一の相手先と２回線で接続し、一方の回線でカラオケデータのデータ送受信を行い、他方の回線でテレビ電話方式で音声や画像のやり取りを行うものである。
【００２５】
表示装置６は、メモリ５に記憶したカラオケデータの画像と、相手が歌っている様子の画像を同一画面上に表示するものである。表示例については後で説明する。
【００２６】
制御手段１２は、携帯電話機１全体の処理及び制御を行うものである。特に、第１のシステムにおいては、カラオケを行う際の処理が特徴となっている。
具体的には制御手段１２は、一方の回線（回線Ａ）で携帯電話機１ｂと通話中に、入力部１１からカラオケに移行する指示が入力されると、音楽配信システム４に発呼して、他方の回線（回線Ｂ）で音楽配信システム４に接続し、指定された曲のカラオケデータを要求するものである。そして、音楽配信システム４からカラオケデータをダウンロードして、メモリ５に一旦格納するものである。
【００２７】
そして、制御手段１２は、音楽配信システム４との回線Ｂを切断すると、再度通話相手先の携帯電話機１ｂに発呼して回線Ｂにて接続し、カラオケデータを送信すると共に、回線Ａにてカメラ装置７やマイク９から入力される画像や音声を、携帯電話機１ｂと送受信し、受信画像及び音声をテレビ電話として再生するものである。
【００２８】
次に、第１のシステムの動作について、図４を用いて説明する。図４は、第１のシステムにおいてカラオケを行う場合の携帯電話機１の動作の概略を示すフローチャート図である。
まず、携帯電話機１ａが携帯電話機１ｂに対して発呼し、回線Ａにて接続し（１００）、通話中になる（１０２）。そして、通話中の両者がカラオケをやるかどうか話し合って（１０４）、カラオケをやることに決まると、携帯電話機１ａが回線Ｂにて音楽配信システム４に接続し（１０６）、曲目の選択を行う（１０８）。
【００２９】
そして、携帯電話機１ａは、回線Ｂにて、音楽配信システム４から選択した曲の配信を受け（１１０）、配信が終了したかどうかを判断し（１１２）、配信が終了したら回線Ｂによる音楽配信システム４との通信を切断する（１１４）。
【００３０】
そして、携帯電話機１ａは、回線Ｂにて携帯電話機１ｂに発呼し、接続すると、カラオケを実行する（１１６）。
具体的には、携帯電話機１ａは、回線Ｂにてカラオケデータを送信すると共に、自らもカラオケデータを再生し、更に既に接続状態にある回線Ａにて自分が歌っている映像と音声を送り、相手が歌っている映像と音声を受信して再生する。表示画面には、歌詞やカラオケの画像と相手が歌っている映像とが両方表示されるようになっている。
【００３１】
そして、カラオケが終了すると（１１８）、携帯電話機１ａは回線Ｂを切断し（１１９）、通話を切断するキーが入力されたかどうかを判断して（１２０）、切断の場合には回線Ａを切断して終了し、切断しない場合には処理１０２に移行して引き続き第１の回線にて通話を行う。このようにして第１のシステムの動作が行われるものである。
【００３２】
カラオケを連続して行う場合は、処理１０２に戻った後、再び曲を選択して同様の処理を行えばよく、回線Ａによる相手との通話を切断することなく相談したりカラオケを行ったりすることができ、離れたところにいる相手と共にカラオケボックスのような感覚でカラオケを行うことができるものである。
【００３３】
次に、カラオケを行う場合の送受信動作について図５を用いて具体的に説明する。図５は、第１のシステムにおいてカラオケを行う場合の送受信動作を示す模式説明図である。
図５においては、携帯電話機ＭＳ１及びＭＳ２と、音楽配信システム４との送受信及び動作状態を示している。尚、説明を簡単にするために公衆回線網及び携帯電話網は省略する。
【００３４】
図５（ａ）に示すように、第１のシステムでは、まず、携帯電話機ＭＳ１とＭＳ２とが回線Ａにて通話状態の場合、カメラ装置７にて画像の取り込みも行われ、回線ＡはＴＶ電話として音声と画像の両方を送受信している。このような規格としては、例えばMPEG-4（Moving Picture Experts Group-4）等があり、音声と画像（動画）のやり取りができるものである。
【００３５】
そして、カラオケを行う場合には、例えばＭＳ１が回線Ａはそのまま接続状態にして、回線Ｂで音楽配信システム４に発呼してデータ配信要求を送信する。
【００３６】
音楽配信システム４では、データ配信要求を受信すると、選曲データを送信し、ＭＳ１は選曲データに基づいて選曲を行う。そして、音楽配信システム４は、要求された曲目のカラオケデータを読み出して要求元の携帯電話機ＭＳ１に送信する。
【００３７】
そして、１曲分のデータ配信が完了すると、音楽配信システム４は、ＭＳ１に対して課金する。ＭＳ１では、音楽配信システム４から配信されたカラオケデータをメモリ５に記憶して、受信完了後、音楽配信システム４との通信を切断する（ｂ）。
【００３８】
そして、（ｃ）に示すように、ＭＳ１はＭＳ２に発呼して回線Ｂにて接続し、メモリ５に記憶しておいたカラオケデータを読み出してＭＳ２に送信する。それと共にＭＳ１は、カラオケデータを再生してスピーカ８及び表示装置６に出力する。
【００３９】
そして、ＭＳ２は、回線Ｂにて受信するカラオケデータを順次ストリーム再生して、表示装置６に画像を表示しスピーカ８にカラオケ音楽を出力する。それと共に、ＭＳ２は、回線ＡにてＭＳ１から送信された相手が歌っている映像と歌声を受信して、表示装置６にＭＳ１からの映像を表示し、スピーカ８に歌っている音声を出力する。
【００４０】
すなわち、第１のシステムでは、回線Ａは映像と音声を送受信するテレビ電話通信であり、回線２では、カラオケデータを送受信するデータ通信となる。
【００４１】
また、表示装置６においては、カラオケデータの画像と、相手が歌っている映像という異なる２つの映像を同時に表示する。そのため、画面を２分割して表示したり、画面一杯の画像に重ねてすみの方に小さく他の画像を映す（スーパーインポーズ）、といった方法が考えられる。
【００４２】
ＭＳ１においても同様に表示装置６にはカラオケデータの画像と、相手が歌っている映像とが表示されるようになっている。
このようにして第１のシステムにおけるカラオケ方法が行われるが、第１の方法ではＭＳ１がＭＳ２に対して送信すると同時に再生を開始し、ＭＳ２がストリーム再生することにより、カラオケデータの同期がとれるものである。
【００４３】
本発明の第１の実施の形態に係る携帯電話システム（第１のシステム）によれば、携帯電話機１ａ及び１ｂがテレビ電話機能と、同時に２つの呼（回線Ａ、回線Ｂ）を張る機能とを備え、回線Ａにて携帯電話機１ａと１ｂとがテレビ電話にて通話中の状態において、一方の携帯電話機１、例えば携帯電話機１ａが回線Ｂにて音楽配信システム４に発呼してカラオケデータの配信を要求し、携帯電話機１ａがカラオケデータの配信を受けて記憶すると、回線Ｂによる音楽配信システム４との通信を切断して、回線Ｂにて携帯電話機１ｂに接続し、携帯電話機１ｂにカラオケデータを送信すると同時に自らもカラオケデータを再生して、携帯電話機１ｂが、受信したカラオケデータをストリーム再生するようにしているので、回線Ａによりお互いの姿や声を送受信しつつ、カラオケを再生すれば、離れたところにいる相手と一緒に簡単にカラオケを行うことができ、携帯電話機を用いた新しい楽しみ方を提供できる効果がある。
【００４４】
また、第１のシステムでは、回線Ａをテレビ電話回線としているので、離れたところにいる相手の表情や様子が映像として表示されるために、相手を身近に感じることができ、一体感を増加させることができる効果がある。
【００４５】
また、第１のシステムによれば、表示装置７がスーパーインポーズ又は画面分割表示可能としているので、相手の姿を映すだけでなく、カラオケデータに含まれる映像や歌詞データを表示することができるものである。
【００４６】
また、ここではカラオケデータに画像が含まれる場合について説明したが、カラオケデータが音楽データのみであっても構わない。
【００４７】
次に、本発明の第２の実施の形態に係る携帯電話システム（第２のシステム）について説明する。第２のシステムの構成は、図１に示した第１のシステムと同様であり、説明を簡単にするために図１で用いた符号で説明する。
第２のシステムにおけるカラオケ実行時の送受信動作について図６を用いて説明する。図６は、第２のシステムにおける送受信方法を示す模式説明図である。
【００４８】
図６に示すように、第２の方法では、ＭＳ１が音楽配信システム４からカラオケデータの配信を受け、メモリ５に記憶して回線Ｂを切断すると（（ａ），（ｂ））、ＭＳ１は、第１の方法と同様に、回線ＢにてＭＳ２に接続して、カラオケデータを送信し、ＭＳ２は受信したデータをメモリ５に記憶しておく（ｃ）。
【００４９】
そして、ＭＳ１からＭＳ２へのカラオケデータ送信が完了後、ＭＳ１の入力部１１から予め決められている再生指示が入力されると、ＭＳ１は、ＭＳ２に再生指示を出力して、回線Ｂを切断する。それと共にＭＳ１は、カラオケデータの再生を開始する（ｄ）。再生指示は特定の「再生ボタン」の押下等により入力される。
【００５０】
尚、再生指示は、カラオケデータ送信後、回線Ｂを切断した後に回線Ａにて送信してもよいし、回線Ｂをカラオケデータを送信後一旦切断してから、改めて回線Ｂを接続して再生指示を送信して切断するようにしても構わない。
【００５１】
そして、ＭＳ２ではＭＳ１からの再生指示に基づいてカラオケデータの再生を開始し、メモリ５に記憶されているカラオケデータを表示装置６及びスピーカ８に出力する（ｅ）。
【００５２】
このように、第２のシステムでは、歌いながら相手の携帯電話機にカラオケデータを送信するのではなく、歌う前にカラオケデータをＭＳ２に送信して回線切断しておき、それぞれの携帯電話機１が自己のメモリ５に記憶されたカラオケデータを再生しつつ、回線Ａにて音声と映像を送受信して、再生するようになっている。つまり、カラオケを行っている最中は、回線Ａのみが接続されているものである。
【００５３】
第２の方法では、カラオケ実行時には１回線しか接続されないので、何曲も歌いたい場合等、時間がかかる場合には通信コストを低減することができるものである。
【００５４】
本発明の第２の実施の形態に係る携帯電話システムによれば、携帯電話機１ａと携帯電話機１ｂが回線Ａにてテレビ電話通信を行っている状態で、携帯電話機１ａが回線Ｂにて音楽配信システム４からカラオケデータの配信を受け、音楽配信システム４との回線を切断し、回線Ｂにて携帯電話機１ｂにカラオケデータを送信し、携帯電話機１ｂがカラオケデータを受信して記憶して、携帯電話機１ａ又は１ｂからの再生指示入力後回線Ｂを切断し、携帯電話機１ａ及び１ｂが同時に自己のメモリ５に記憶されたカラオケデータを再生すると共に、回線Ａにて映像と音声を送受信してカラオケを行うようにしており、カラオケデータの送受信後は回線Ｂは切断し、カラオケを歌う際には回線Ａしか接続されていないので、通信コストを低減することができる効果がある。
【００５５】
また、ここでは再生指示は回線Ｂにて送信されているが、ＭＳ２がカラオケデータを記憶後回線Ｂを切断し、再生指示を回線Ａにて送信するようにしてもよい。
【００５６】
次に、本発明の第３の実施の形態に係る携帯電話システム（第３のシステム）について説明する。第３のシステムの構成も図１に示した第１のシステムと同様の構成であり、同じ番号を用いて説明する。
【００５７】
第３のシステムにおけるカラオケ実行時の送受信の方法について図７を用いて説明する。図７は、本発明の第３の実施の形態に係る携帯電話システムのカラオケ実行時の送受信の方法を示す模式説明図である。
図７に示すように、ＭＳ１とＭＳ２とが回線Ａで通話状態の場合に、ＭＳ１が、回線Ｂにて音楽配信システム４にデータ配信要求を送信する。その際、第３の方法では自己の識別番号だけでなく、一緒にカラオケを行うＭＳ２の識別番号も付してデータ配信要求を送信する（ａ）。
【００５８】
そして、音楽配信システム４が、受信した識別番号に基づいてＭＳ２に発呼し、ＭＳ１とＭＳ２に同時にカラオケデータの配信を行う。ＭＳ１及びＭＳ２は回線２で受信したカラオケデータをストリーム再生しながら、回線Ｂでお互いの映像と音声を送受信して再生する（ｂ）。
【００５９】
第３のシステムでは、回線ＡにてＭＳ１とＭＳ２とがテレビ電話通信を行い、それと共にＭＳ１とＭＳ２のそれぞれが音楽配信システム４と回線Ｂで接続してカラオケデータの配信を受ける。そして、音楽配信システム４がＭＳ１とＭＳ２とに同時に配信を開始して、端末においては受信したデータをストリーム再生することにより、両端末の同期が確立されるものである。
【００６０】
尚、第３のシステムにおいて課金する場合には、曲終了直前の課金逃れを防ぐために、ストリーム再生の一定時間経過後に課金するのが望ましい。
【００６１】
本発明の第３の実施の形態に係る携帯電話システム（第３のシステム）によれば、携帯電話機１ａと１ｂとが回線Ａにてテレビ電話中に、携帯電話機１ａが回線Ｂにて音楽配信システム４に発呼して携帯電話機１ａと１ｂの識別番号を付加してカラオケデータの配信を要求し、音楽配信システム４が、回線Ｂにて携帯電話機１ａと１ｂの両方に同時にカラオケデータを配信し、携帯電話機１ａ及び１ｂはそれぞれストリーム再生しながら回線Ａにて映像と音声を送受信してカラオケを行うようにしているので、離れた場所にいる相手と一緒に気軽にカラオケを行うことができ、携帯電話機を用いた新しい楽しみ方を提供できる効果がある。
【００６２】
第１から第３のシステムで説明したように、本発明では、カラオケを行うには３通りの方法があるが、１つのシステムに全ての方法を備えておいてもよく、その場合には、どの方法で行うかは音楽配信システム４に対して配信要求を送信する際にユーザが選択し、選択に従って制御手段１２及び通信手段１３が動作し、回線接続や送受信を行うようになっている。
【００６３】
【発明の効果】
本発明によれば、第１の携帯電話機と第２の携帯電話機とが第１の回線にてテレビ電話通話している場合に、第１の携帯電話機が第２の回線にて音楽配信システムにカラオケデータの配信要求を送信し、配信されたカラオケデータを受信して記憶しておき、音楽配信システムとの回線切断後、第２の回線にて第２の携帯電話機にカラオケデータを送信して、自らもカラオケデータを再生し、第２の携帯電話機が受信したカラオケデータをストリーム再生する携帯電話システムとしているので、テレビ電話機能を備えた第１の回線を用いてお互いに歌っている映像と音声とを送受信すれば、離れた場所にいる通話相手と一緒に気軽にカラオケを楽しむことができる効果がある。
【００６４】
また、本発明によれば、第１の携帯電話機が、第１の回線を用いて第２の携帯電話機とテレビ電話通話を行っている場合に、第２の回線を用いて音楽配信システムに接続してカラオケデータの配信要求を送信し、カラオケデータが配信されると、当該第１の携帯電話機内部に記憶して第２の回線を切断し、第２の携帯電話機に対して第２の回線を用いてカラオケデータを送信し、第２の携帯電話機でカラオケデータの受信が完了した後に、特定の再生指示信号を送信した場合には、第２の回線を切断し、若しくは、特定の再生指示信号を送信せずに第２の回線を切断した場合には、通話中の前記第１の回線で特定の再生指示信号を送信するか、又は第２の回線を改めて接続して特定の再生指示信号を送信して第２の回線を切断し、特定の再生指示信号により前記カラオケデータの再生を開始し、第２の携帯電話機が、第１の回線を用いて第１の携帯電話機とテレビ電話通話を行っている場合に、第２の回線を用いて受信したカラオケデータを記憶し、第１の携帯電話機から送信された再生指示信号により、記憶されたカラオケデータを再生する携帯電話システムとしており、テレビ電話機能を備えた第１の回線を用いてお互いに歌っている映像と音声とを送受信すれば、離れた場所にいる通話相手と一緒に気軽にカラオケを楽しむことができ、また、カラオケを行っている最中には第１の回線のみが接続されているので、通信コストを低減できる効果がある。
【００６５】
また、本発明によれば、テレビ電話機能を備え、同時に２回線の呼を張ることが可能で、通信網を介して音楽配信システムと接続可能な携帯電話機であって、第１の回線を用いて別の携帯電話機とテレビ電話通話を行っている場合に、第２の回線を用いて音楽配信システムに接続してカラオケデータの配信要求を送信し、カラオケデータが配信されると、内部に記憶して第２の回線を切断し、別の携帯電話機に対して第２の回線を用いてカラオケデータを送信すると共に自らもカラオケデータの再生を開始するか、又は別の携帯電話機に対して第２の回線を用いてカラオケデータを送信して特定の再生指示信号を送信した後に第２の回線を切断し、特定の再生指示信号によりカラオケデータの再生を開始する携帯電話機としており、テレビ電話機能を備えた第１の回線を用いて別の携帯電話機と歌っている映像と音声とを送受信すれば、離れた場所にいる通話相手と一緒に気軽にカラオケを楽しむことができる効果がある。
【図面の簡単な説明】
【図１】本発明の第１の実施の形態に係る携帯電話システム（第１のシステム）の概略システム構成図である。
【図２】携帯電話機１の外観図である。
【図３】携帯電話機１の構成ブロック図である。
【図４】第１のシステムにおいてカラオケを行う場合の携帯電話機１の動作の概略を示すフローチャート図である。
【図５】第１のシステムにおいてカラオケを行う場合の送受信動作を示す模式説明図である。
【図６】第２のシステムにおける送受信方法を示す模式説明図である。
【図７】第３のシステムのカラオケ実行時の送受信方法を示す模式説明図である。
【符号の説明】
１…携帯電話機、  ２…公衆電話網、  ３…携帯電話網システム、  ４…音楽配信システム、  ５…メモリ、  ６…表示装置、  ７…カメラ装置、  ８…スピーカ、  ９…マイク、  １０…外部端子、  １１…入力部、  １２…制御手段、１３…通信手段
【図１】
0004318842.tif 000002
【図２】
0004318842.tif 000003
【図３】
0004318842.tif 000004
【図４】
0004318842.tif 000005
【図５】
0004318842.tif 000006
【図６】
0004318842.tif 000007
【図７】
0004318842.tif 000008